(57)【要約】    【課題】  側柱の正確な垂直状態を保持することができ、簡易に分解組み立て可能で携帯に便利なコンパクトな簡易型展示台を提供する。  【解決手段】  窓周りに設置する長尺日除け装置のデモ機２０を着脱可能に取り付けてデモンストレーションを行うための簡易型展示台１において、天井枠２と、天井枠２を支持する二本の側柱３と、側柱３を垂直に固定するための固定溝４ａを備えた底枠４とを備え、底枠４に設けられた２箇所の固定溝４ａに二本の側柱３の下端をそれぞれ装着嵌合し、締着部材４ｃによって底枠４の底面側から側柱３を貫通するようにして締着固定することにより二本の側柱３をそれぞれ垂直に立設させると共に、天井枠２を二本の側柱３間に固定することにより簡易に組み立て及び分解を可能としたことを特徴とする。  【選択図】  図１
2010042077.tif 000002
【特許請求の範囲】
【請求項１】
ロールスクリーン、プリーツスクリーン、ブラインドなどの窓周りに設置する長尺日除け装置のデモ機を着脱可能に取り付けてデモンストレーションを行うための簡易型展示台において、
前記デモ機を懸架する懸架部材を装着可能な天井枠と、
前記天井枠を支持する二本の側柱と、
前記側柱を垂直に固定するための固定溝を備えた底枠と、
を備え、前記底枠に設けられた２箇所の固定溝に二本の前記側柱の下端をそれぞれ装着嵌合し、締着部材によって前記底枠の底面側から前記側柱を貫通するようにして締着固定することにより二本の当該前記側柱をそれぞれ垂直に立設させると共に、前記天井枠を二本の前記側柱間に固定することにより簡易に組み立て及び分解を可能としたことを特徴とする長尺日除け装置のデモ機の簡易型展示台。
【請求項２】
二本の前記側柱の上部側近傍の対向する内側面に前記天井枠の両側端を嵌合するための嵌合溝をそれぞれ設けると共に、前記天井枠の両端を前記嵌合溝内にそれぞれ嵌合させた状態で前記側柱の上端面に前記側柱と連通する貫通孔を設け、当該貫通孔に前記側柱の上端面側から固定ピンを挿入して前記天井枠の貫通孔に挿入することにより該天井枠を前記側柱に固定することを特徴とする請求項１に記載の長尺日除け装置のデモ機の簡易型展示台。
【請求項３】
前記締着部材は蝶ボルトであり、前記底枠の底面側から前記側柱を貫通するようにして挿入した蝶ボルトを締め付けることにより前記側柱を前記底枠に強固に固定すると共に、前記底枠の底面に、前記底枠の下方側に突出する前記蝶ボルトのつまみ部の突出長さよりも長い高さを有する脚部材を取り付けることによって前記つまみ部が床面に当たって不安定になることなく当該簡易型展示台を立設可能としたことを特徴とする請求項１又は２に記載の長尺日除け装置のデモ機の簡易型展示台。
【請求項４】
前記天井枠の上面に携帯に便利なように把持部材を配置したことを特徴とする請求項１乃至請求項３に記載のいずれか１つの長尺日除け装置のデモ機の簡易型展示台。
【請求項５】
前記懸架部材は、前記デモ機を固定する各種のブラケットが取り付け可能に形成され、当該ブラケットにデモ機を取り付けた状態で前記天井枠の裏側面に形成された挿入部にスライド挿入することによって前記天井枠に装着されると共に、前記懸架部材には天井枠からの取り外しに便利な抜取補助部材が設けられていることを特徴とする請求項１乃至請求項４に記載のいずれか１つの長尺日除け装置のデモ機の簡易型展示台。
【発明の詳細な説明】
【技術分野】
【０００１】
本発明は、長尺日除け装置のデモ機の簡易型展示台に関し、さらに詳しくは、住宅展示場やショールームなどの商談室においてロールスクリーン、プリーツスクリーン、ブラインドなどの窓周りに設置する長尺日除け装置のデモ機を着脱自在に取り付けることによりデモンストレーションを行うための簡易型展示台に関する。
【背景技術】
【０００２】
従来は、ロールスクリーン、プリーツスクリーン、ブラインドなどの長尺日除け装置は個人々々の希望に応じたオーダメイドで製作する関係で、住宅展示場やショールームなどの商談室において各種類毎にスチール製の展示台に設置固定されて説明に供せられていた。また、その大きさも様々であり、ほぼ実物大に近いものも多数見受けられていた。従来のスチール製の展示台はその大きさもさることながら両端をビスなどで固定されており移動や携帯には不便であり、また組み立ても面倒であった。
【０００３】
展示台としては特開２００４−１９０４７６号公報が知られているが、これは自動巻上げ装置付き日除け装置の展示台で、四隅に配置したかぎ型の固定金具に天井板、側板及び底板を挿入固着して枠体を形成するものである。
【０００４】
【特許文献１】特開２００４−１９０４７６号公報、第１頁、図面
【発明の開示】
【発明が解決しようとする課題】
【０００５】
前記特許文献１における枠体の固定方法は天井板などをかぎ型金具に挿入固定する方法であり、頑丈なかぎ型金具を必要とし、それぞれの金具に側板などの端部を挿入する必要があり組み立て作業が面倒であった。
【０００６】
一方、従来のスチール製の展示台は、移動や携帯が困難であったため住宅展示場やショールームなどの商談室においてロールスクリーン、プリーツスクリーン、ブラインドなどの各商品の特徴や機能の比較説明を行うことが困難であった。
【０００７】
また、仮に従来のスチール製の展示台を商談室に設置することができたとしてもかなりのスペースを取られてしまうので商談ルームが狭くなるという問題があった。そのため、コンパクトで組み立て簡易な簡易型展示台が望まれていた。
【０００８】
さらに、展示台の枠体を構成する柱部材が正しく垂直に立設されないとロールスクリーン、プリーツスクリーン、ブラインドなどのデモ機を取り付けて動作させたときに柱部材と接触し不都合であり、見た目も良くない。
【０００９】
そこで、本発明は、ロールスクリーン、プリーツスクリーン、ブラインドなどの窓周りに設置する長尺日除け装置のデモ機を着脱自在に取り付けることができ、しかも垂直性を確保することによって容易にデモンストレーションを行うことができる長尺日除け装置のデモ機の簡易型展示台を提供するものである。
【００１０】
また、本発明は、携帯に便利で、しかも容易に組み立て及び分解が可能な長尺日除け装置のデモ機の簡易型展示台を提供することである。
【課題を解決するための手段】
【００１１】
上記課題を達成するために請求項１に記載の本発明は、ロールスクリーン、プリーツスクリーン、ブラインドなどの窓周りに設置する長尺日除け装置のデモ機を着脱可能に取り付けてデモンストレーションを行うための簡易型展示台において、デモ機を懸架する懸架部材を装着可能な天井枠と、天井枠を支持する二本の側柱と、側柱を垂直に固定するための固定溝を備えた底枠とを備え、底枠に設けられた２箇所の固定溝に二本の側柱の下端をそれぞれ装着嵌合し、締着部材によって底枠の底面側から側柱を貫通するようにして締着固定することにより二本の側柱をそれぞれ垂直に立設させると共に、天井枠を二本の側柱間に固定することにより簡易に組み立て及び分解を可能としたことを特徴とする。
【００１２】
上記課題を達成するために請求項２に記載の本発明は、請求項１に記載の長尺日除け装置のデモ機の簡易型展示台において、二本の側柱の上部側近傍の対向する内側面に天井枠の両側端を嵌合するための嵌合溝をそれぞれ設けると共に、天井枠の両端を嵌合溝内にそれぞれ嵌合させた状態で側柱の上端面に側柱と連通する貫通孔を設け、貫通孔に側柱の上端面側から固定ピンを挿入して天井枠の貫通孔に挿入することにより天井枠を側柱に固定することを特徴とする。
【００１３】
上記課題を達成するために請求項３に記載の本発明は、締着部材は蝶ボルトであり、底枠の底面側から側柱を貫通するようにして挿入した蝶ボルトを締め付けることにより側柱を底枠に強固に固定すると共に、底枠の底面に、底枠の下方側に突出する蝶ボルトのつまみ部の突出長さよりも長い高さを有する脚部材を取り付けることによってつまみ部が床面に当たって不安定になることなく簡易型展示台を立設可能としたことを特徴とする。
【００１４】
上記課題を達成するために請求項４に記載の本発明は、請求項１乃至請求項３に記載のいずれか１つの長尺日除け装置のデモ機の簡易型展示台において、天井枠の上面に携帯に便利なように把持部材を配置したことを特徴とする。
【００１５】
上記課題を達成するために請求項５に記載の本発明は、請求項１乃至請求項３に記載のいずれか１つの長尺日除け装置のデモ機の簡易型展示台において、懸架部材は、デモ機を固定する各種のブラケットが取り付け可能に形成され、ブラケットにデモ機を取り付けた状態で天井枠の裏側面に形成された挿入部にスライド挿入することによって天井枠に装着されると共に、懸架部材には天井枠からの取り外しに便利な抜取補助部材が設けられていることを特徴とする。
【発明の効果】
【００１６】
本発明に係る長尺日除け装置のデモ機の簡易型展示台によれば、天井枠を側柱の溝に、側柱を底枠の溝にそれぞれ挿入固着してあるから底枠に対する側柱を確実に垂直に保持することができ、側柱が横揺れすることなく、長期間の使用に耐えることができるという効果がある。
【００１７】
また、本発明に係る長尺日除け装置のデモ機の簡易型展示台によれば、天井枠、側柱及び底枠を木材や合成樹脂材によって製造すれば軽量且つ安価に製造することができ、しかも携帯に便利であるという効果がある。
【００１８】
また、本発明に係る長尺日除け装置のデモ機の簡易型展示台によれば、展示場などの狭い商談室においてテーブル上で簡易に分解組み立てを行うことができ、しかも、特定の製品に限らず、多種類のデモ機（サンプル）のデモンストレーションを行うことができるので従来のようにオーダメイドにならず、複数種類の製品の展示台として使用することができるという効果がある。
【発明を実施するための最良の形態】
【００１９】
以下，本発明に係る長尺日除け装置のデモ機の簡易型展示台について図面に基づいて詳細に説明する。図１は本発明に係る簡易型展示台の一実施形態の正面図である。図２は図１の簡易型展示台の分解斜視図、図３は底枠の脚部材を説明する斜視図、図４は携帯時の分解梱包状態を示す図である。また、図５は懸架部材の斜視図、図６は装飾金具を装着した状態の正面図である。
【００２０】
図示された長尺日除け装置のデモ機の簡易型展示台１は、概略として、天井枠２と、二本の側柱３、３と、底枠４を備えて構成されている。天井枠２、二本の側柱３、３及び底枠４は、例えば、軽量資材である木材又は合成樹脂材などによってそれぞれ形成することができる。
【００２１】
天井枠２は横長の平板で、その両側の端部２ａ、２ａの近傍には後述する側柱３の上端面側から貫通挿入される固定ピン８を受け入れるための貫通孔２ｂがそれぞれ穿設されている。また、天井枠２の上面側の中央部付近には簡易型展示台１を分解して束ねて梱包した際にその持ち運びを容易にするための把持部材７が取り付けられている。そして、この天井枠２の裏側面にはロールスクリーン、プリーツスクリーン、ブラインドなどの窓周りに設置する長尺日除け装置のデモ機２０を着脱可能に取り付けるための懸架部材９がスライド挿入される挿入部２ｃ、２ｃが２ヶ所に設けられている。尚、挿入部２ｃは反対側に突き抜けてはおらず、懸架部材９を挿入した際、懸架部材９の挿入側の端部が挿入部２ｃの最奥部と当接するようになっている。また、挿入部２ｃの近傍には、懸架部材９を挿入部２ｃに装着した際に懸架部材９がずれたり、抜け落ちることがないよう抜け止め防止のための図示しないストッパ部材が取り付けられている。
【００２２】
天井枠２を支持する側柱３は、二本で一対とされ、各側柱３には天井枠２の端部２ａをそれぞれ嵌合するための嵌合溝３ａが穿設されている。また、側柱３の上端面には固定ピン８を挿脱可能に装着するための挿通穴３ｂがそれぞれ設けられている。さらに、側柱３の下端面には蝶ネジ４ｃによって底枠４に固定するためのねじ穴３ｃがそれぞれ穿設されている。
【００２３】
一対の側板３、３を垂直に固定するための底枠４は、横長の平板状で、その両端部近傍には側柱３、３を嵌入固定するための固定溝４ａ、４ａが穿設されている。この固定溝４ａ、４ａは、そこに嵌入される各側板３、３が正しく垂直に案内保持されるような凹形状とすることが大切である。また、固定溝４ａ、４ａには底枠４の底面側から貫通するようにしてねじ孔４ｂ、４ｂが穿設されている。そして、固定溝４ａ、４ａにはねじ孔４ｂ、４ｂが穿設されており、側板３、３を固定溝４ａ、４ａにそれぞれ装着嵌合した状態で固定溝４ａ、４ａの底面側から蝶ネジ４ｃ、４ｃをねじ孔４ｂ、４ｂを貫通して側板３、３のねじ穴３ｃ、３ｃに至るように挿入して締着固定することにより側板３、３を底枠４に対して垂直に立設保持させることができる。
【００２４】
一方、底枠４の底面側には、脚部材５、５が脚固定軸６によって回動自在に取り付けられている。脚部材５、５は、底枠４と同じ幅サイズの平面長方形の平板部材であり、簡易型展示台１を収納する際は脚部材５、５の長手方向を底枠４の長手方向と同じ方向となるように位置させ、簡易型展示台１を使用する際は脚部材５、５の長手方向が底枠４の長手方向と直角方向となるように位置させる。この脚部材５、５の高さは、底枠４の下方側に突出する蝶ボルト４ｃのつまみ部の突出長さよりも高く（長く）形成されており、それによって蝶ボルトのつまみ部が下側に突出していてもそれが床面に当たって不安定になることなく簡易型展示台１をテーブルなどに立設することができるようになっている。
【００２５】
また、簡易型展示台１は、図４に示すように、分解した天井枠２、二本の側柱３、３及び底枠４を互いに重ねてベルト１１、１１で結束することにより把持部材７を把持して楽に持ち運びができる。これにより、住宅展示場やショールームなどの説明会場において使用することができる。
【００２６】
懸架部材９は、図５に示すように、概略として平板状の部材であり、天井枠２に設けられた挿入部２ｃに挿入可能な左右の挿入片９ａ、９ａを有し、また、デモ機２０の上部枠体を固定するためのブラケット９ｂを取り付けるためのネジ孔９ｃ、９ｄが穿設されている。ネジ孔９ｃは丸孔で、ネジ９ｅによってブラケット９ｂを所定位置に固定する。一方、ネジ孔９ｄは長孔とされ、ブラケット９ｂの種類によって異なる取り付け孔の位置に応じてネジ９ｃによって適宜固定できるようになっている。これにより、懸架部材９は各種のブラケット９ｂを取り付けることができるようになっている。また、天井枠２にデモ機２０を装着した状態では懸架部材９は挿入部２ｃ内に完全に挿入されてしまうのでデモ機２０の取り外しを容易にするために懸架部材９にはフック９ｆが設けられている。フック９ｆを持ってデモ機２０を引き出すことによってデモ機２０の取り外しの容易化が図られている。尚、フック９ｆは懸架部材９を挿入部２ｃに完全に挿入した状態で天井枠２の側部より内側に位置するようになっている。
【００２７】
次に、上述の簡易型展示台１の使用方法について説明する。まず、ベルト１１、１１を外して梱包を解き、以下のようにして簡易型展示台１の組み立てを行う。  まず、天井枠２の両側端部２ａ、２ａを各側柱３、３の嵌合溝３ａ、３ａにそれぞれ嵌合し仮止め状態とする。一方、底枠４の裏面に平行に配置された脚部材５、５を脚固定軸６を中心として回動させ、脚部材５、５の長手方向と底枠４の長手方向とが直角になるように位置させて展示台１を安定させる。
【００２８】
そして、側柱３、３の下端部を底枠４の固定溝４ａ、４ａにそれぞれ嵌合し、蝶ネジ４ｃ、４ｃによって側柱３、３を締着固定する。この蝶ネジ４ｃ、４ｃの締め付けにより側柱３、３は垂直状態に強固に保持固定される。そして固定ピン８、８を側柱３、３の上端面側の挿通穴３ｂ、３ｂと連通する天井枠２の貫通孔２ｂ、２ｂから挿通して天井枠２を側柱３、３に固定する。これにより、展示台１の組み立てが完成する。
【００２９】
このように完成した展示台１を商談室などのテーブルの上に配置し、天井枠２の挿入部２ｃ、２ｃにデモ機２０に取り付けられた懸架部材９、９を挿入し、デモ機２０を展示台１に装着する。装着が完了したら図示しないストッパ部材により懸架部材９、９が外れることがないよう固定する。この状態でデモ機２０のデモンストレーションを行う。そして、デモ機２０を適宜着脱交換することで各商品の機能や特徴の説明を効果的に行うことができる。
【００３０】
一方、図５に示すように、他の実施形態として、側柱３、３の上端面や底枠４の側端面に装飾用金具１０を装着することで各部材の補強と共に見栄えを良くすることができる。また、側柱３の外側面に補強板３０、３０などを固着することにより、側柱３、３の垂直安定性を確実にすることもできる。なお、補強板３０、３０は、底枠４の側端側に図示しない溝を設け、その溝にスライド嵌入によって取り付けるようにしても良い。なお、それ以外については前述の実施形態と同様であり、同じ符号を付すことで詳しい説明は省略する。
【００３１】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【図面の簡単な説明】
【００３２】
【図１】本発明に係る簡易型展示台の一実施形態の正面図である。
【図２】図１の簡易型展示台の分解斜視図である。
【図３】底枠の脚部材を説明する斜視図である。
【図４】携帯時の分解梱包状態を示す図である
【図５】懸架部材の斜視図である。
【図６】装飾金具を装着した状態の正面図である。
【符号の説明】
【００３３】
１      展示台
２      天井枠
２ａ      端部
２ｂ      貫通孔
２ｃ      挿入部
３      側柱
３ａ      嵌合溝
３ｂ      挿通穴
３ｃ      ねじ穴
４      底枠
４ａ      固定溝
４ｂ      ねじ孔
４ｃ      蝶ネジ
５      脚部材
６      脚固定軸
７      把持部材
８      固定ピン
９      懸架部材
９ａ      挿入片
９ｂ      ブラケット
９ｃ    ネジ孔
９ｄ    ネジ孔
９ｅ    ネジ
９ｆ    フック
１０      装飾金具
１１      ベルト
２０      デモ機
３０      補強板
【図１】
2010042077.tif 000003
【図２】
2010042077.tif 000004
【図３】
2010042077.tif 000005
【図４】
2010042077.tif 000006
【図５】
2010042077.tif 000007
【図６】
2010042077.tif 000008